【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
物理ダウンリンク制御チャンネル（Physical Downlink Control CHannel；ＰＤＣＣＨ）及びｅＰＤＣＣＨ（Enhanced ＰＤＣＣＨ）を受信するユーザ端末（User Equipment；ＵＥ）の動作の方法であって、
第１個数の制御チャンネル要素（Control Channel Element；ＣＣＥ）を用いて前記ＰＤＣＣＨを受信するステップと、
第２個数のｅＣＣＥ（Enhanced ＣＣＥ）を用いて前記ｅＰＤＣＣＨを受信するステップと、を含み、
前記第２個数の最大値は、前記第１個数の最大値より大きく、
前記ＣＣＥの前記第１個数は、１、２、４、又は８であり、
前記ＣＣＥの前記第２個数は、１、２、４、８、又は１６であることを特徴とする、方法。
【請求項２】
前記ＰＤＣＣＨの候補及び前記ｅＰＤＣＣＨの候補のための探索空間を決定するステップと、
前記ＰＤＣＣＨの候補及び前記ｅＰＤＣＣＨの候補をデコーディングするステップと、をさらに含むことを特徴とする、請求項１に記載の方法。
【請求項３】
前記探索空間は、ＵＥ−共通探索空間（ＵＥ−ＣＳＳ）及びＵＥ−専用探索空間（ＵＥ−ＤＳＳ）に割り当てられることを特徴とする、請求項２に記載の方法。
【請求項４】
上位階層シグナリングを受信するステップと、
前記ＵＥが前記上位階層シグナリングにより設定されるか否かに基づいて、前記ｅＰＤＣＣＨのための開始（beginning）ＯＦＤＭ（Orthogonal Frequency Division Multiple）シンボルを決定するステップと、をさらに含むことを特徴とする、請求項１に記載の方法。
【請求項５】
前記ｅＰＤＣＣＨのための開始ＯＦＤＭシンボルを決定するステップは、
前記ＵＥが前記上位階層シグナリングにより設定されない場合、ＰＣＦＩＣＨ（Physical Control Format Indicator CHannel）を用いて前記ｅＰＤＣＣＨのための開始ＯＦＤＭシンボルを決定するステップと、
前記ＵＥが前記上位階層シグナリングにより設定される場合、前記上位階層シグナリングにより通知される情報を用いて前記ｅＰＤＣＣＨのための開始ＯＦＤＭシンボルを決定するステップと、を含むことを特徴とする、請求項４に記載の方法。
【請求項６】
物理ダウンリンク制御チャンネル（Physical Downlink Control CHannel；ＰＤＣＣＨ）及びｅＰＤＣＣＨ（Enhanced ＰＤＣＣＨ）を受信するユーザ端末（User Equipment；ＵＥ）装置であって、
第１個数の制御チャンネル要素（Control Channel Element；ＣＣＥ）を用いて前記ＰＤＣＣＨを受信し、第２個数のｅＣＣＥ（Enhanced ＣＣＥ）を用いて前記ｅＰＤＣＣＨを受信する受信機、を含み、
前記第２個数の最大値は、前記第１個数の最大値より大きく、
前記ＣＣＥの前記第１個数は、１、２、４、又は８であり、
前記ＣＣＥの前記第２個数は、１、２、４、８、又は１６であることを特徴とする、装置。
【請求項７】
前記ＰＤＣＣＨの候補及び前記ｅＰＤＣＣＨの候補のための探索空間を決定する探索器と、
前記ＰＤＣＣＨの候補及び前記ｅＰＤＣＣＨの候補をデコーディングするデコーダと、をさらに含むことを特徴とする、請求項６に記載の装置。
【請求項８】
前記探索空間は、ＵＥ−共通探索空間（ＵＥ−ＣＳＳ）及びＵＥ−専用探索空間（ＵＥ−ＤＳＳ）に割り当てられることを特徴とする、請求項７に記載の装置。
【請求項９】
前記受信機は、上位階層シグナリングを受信するように構成され、
前記上位階層シグナリングにより前記ＵＥが設定されるか否かに基づいて、前記ｅＰＤＣＣＨのための開始（beginning）ＯＦＤＭ（Orthogonal Frequency Division Multiple）シンボルを決定する選択器、をさらに含むことを特徴とする、請求項６に記載の装置。
【請求項１０】
前記選択器は、
前記ＵＥが前記上位階層シグナリングにより設定されない場合、ＰＣＦＩＣＨ（Physical Control Format Indicator CHannel）を用いて前記ｅＰＤＣＣＨのための開始ＯＦＤＭシンボルを決定し、
前記ＵＥが前記上位階層シグナリングにより設定される場合、前記上位階層シグナリングにより通知される情報を用いて前記ｅＰＤＣＣＨのための開始ＯＦＤＭシンボルを決定するように構成されることを特徴とする、請求項９に記載の装置。
【請求項１１】
物理ダウンリンク制御チャンネル（Physical Downlink Control CHannel；ＰＤＣＣＨ）及びeＰＤＣＣＨ（enhanced ＰＤＣＣＨ）を送信する方法であって、
第１個数の制御チャンネル要素（Control Channel Element；ＣＣＥ）を用いて前記ＰＤＣＣＨを送信するステップと、
第２個数のｅＣＣＥ（enhanced ＣＣＥ）を用いて前記ｅＰＤＣＣＨを送信するステップと、を含み、
前記第２個数の最大値は、前記第１個数の最大値より大きく、
前記ＣＣＥの前記第１個数は、１、２、４、又は８であり、
前記ＣＣＥの前記第２個数は、１、２、４、８、又は１６であることを特徴とする、方法。
【請求項１２】
前記ＰＤＣＣＨの候補及び前記ｅＰＤＣＣＨの候補のための探索空間を決定するステップ、をさらに含み、
前記ＰＤＣＣＨ及び前記ｅＰＤＣＣＨは、決定された前記探索空間を通じて伝送されることを特徴とする、請求項１１に記載の方法。
【請求項１３】
前記探索空間は、ＵＥ−共通探索空間（ＵＥ−ＣＳＳ）及びＵＥ−専用探索空間（ＵＥ−ＤＳＳ）に割り当てられることを特徴とする、請求項１２に記載の方法。
【請求項１４】
上位階層シグナリングをユーザ端末（User Equipment；ＵＥ）に送信するステップと、
前記ＵＥが前記上位階層シグナリングにより設定されるか否かに基づいて、前記ｅＰＤＣＣＨのための開始（beginning）ＯＦＤＭ（Orthogonal Frequency Division Multiple）シンボルを決定するステップと、をさらに含むことを特徴とする、請求項１１に記載の方法。
【請求項１５】
前記ｅＰＤＣＣＨのための開始ＯＦＤＭシンボルを決定するステップは、
前記ＵＥが前記上位階層シグナリングにより設定されない場合、ＰＣＦＩＣＨ（Physical Control Format Indicator CHannel）を用いて前記ｅＰＤＣＣＨのための開始ＯＦＤＭシンボルを決定するステップと、
前記ＵＥが前記上位階層シグナリングにより設定される場合、前記上位階層シグナリングにより通知される情報を用いて前記ｅＰＤＣＣＨのための開始ＯＦＤＭシンボルを決定するステップと、を含むことを特徴とする、請求項１４に記載の方法。
【請求項１６】
物理ダウンリンク制御チャンネル（Physical Downlink Control CHannel；ＰＤＣＣＨ）及びｅＰＤＣＣＨ（enhanced ＰＤＣＣＨ）を送信する装置であって、
第１個数の制御チャンネル要素（Control Channel Element；ＣＣＥ）を用いて前記ＰＤＣＣＨを送信し、第２個数のｅＣＣＥ（enhanced ＣＣＥ）を用いて前記ｅＰＤＣＣＨを送信する送信機、を含み、
前記第２個数の最大値は、前記第１個数の最大値より大きく、
前記ＣＣＥの前記第１個数は、１、２、４、又は８であり、
前記ＣＣＥの前記第２個数は、１、２、４、８、又は１６であることを特徴とする、装置。
【請求項１７】
前記送信機は、前記ＰＤＣＣＨの候補及び前記ｅＰＤＣＣＨの候補のための探索空間を決定し、前記ＰＤＣＣＨの及び前記ｅＰＤＣＣＨを決定された前記探索空間を通じて伝送するように構成されることを特徴とする、請求項１６に記載の装置。
【請求項１８】
前記探索空間は、ＵＥ−共通探索空間（ＵＥ−ＣＳＳ）及びＵＥ−専用探索空間（ＵＥ−ＤＳＳ）に割り当てられることを特徴とする、請求項１７に記載の装置。
【請求項１９】
前記送信機は、上位階層シグナリングをユーザ端末（User Equipment；ＵＥ）に送信し、前記ＵＥが前記上位階層シグナリングにより設定されるか否かに基づいて、前記ｅＰＤＣＣＨのための開始（beginning）ＯＦＤＭ（Orthogonal Frequency Division Multiple）シンボルを決定するように構成されることを特徴とする、請求項１６に記載の装置。
【請求項２０】
前記送信機は、
前記ＵＥが前記上位階層シグナリングにより設定されない場合、ＰＣＦＩＣＨ（Physical Control Format Indicator CHannel）を用いて前記ｅＰＤＣＣＨのための開始ＯＦＤＭシンボルを決定し、
前記ＵＥが前記上位階層シグナリングにより設定される場合、前記上位階層シグナリングにより通知される情報を用いて前記ｅＰＤＣＣＨのための開始ＯＦＤＭシンボルを決定するように構成されることを特徴とする、請求項１９に記載の装置。